(57)【特許請求の範囲】
【請求項１】
対象物に固定されるコネクタであって、
第１方向に長手を有すると共に前記第１方向と直交する第２方向に嵌合側端部を有する島状部と、前記第１方向及び前記第２方向の双方と直交する第３方向において前記島状部との間に凹部を有するようにして設けられた長壁部とを有するハウジングと、
接点部を有し且つ前記接点部が前記凹部内に露出するように前記ハウジングに保持された信号コンタクトと、
前記島状部の前記第１方向の端部に設けられた電源コンタクトと、
前記第２方向に沿って見た場合に前記嵌合側端部上又は前記嵌合側端部内に視認可能となるように前記島状部に少なくとも部分的に埋設保持されると共に前記信号コンタクト及び前記電源コンタクトから絶縁されたＥＳＤ（Electro-Static Discharge）対策用の金属プレートと、
前記第３方向における前記凹部の外側にて前記対象物に接続固定される接続部材と、
前記信号コンタクト及び前記電源コンタクトから絶縁された状態で前記金属プレートと前記接続部材とを連結する連結部材と
を備えるコネクタ。
【請求項２】
請求項１記載のコネクタであって、
前記電源コンタクトの接点部は、前記第３方向において、前記島状部のサイズ内に収まっている
コネクタ。
【請求項３】
請求項１又は請求項２記載のコネクタであって、
前記連結部材は、前記金属プレート及び前記接続部材の少なくとも一方と一体である
コネクタ。
【請求項４】
請求項１から請求項３までのいずれかに記載のコネクタであって、
前記長壁部を少なくとも部分的に覆うシェルを更に備えており、
前記接続部材は、前記シェルの一部として形成されている
コネクタ。
【請求項５】
請求項１から請求項３までのいずれかに記載のコネクタであって、
前記長壁部を少なくとも部分的に覆うシェルを更に備えており、
前記接続部材は、前記シェルとは別体の部材として形成されている
コネクタ。
【請求項６】
請求項１から請求項５までのいずれかに記載のコネクタであって、
前記ハウジングは、前記コネクタが前記対象物に固定された際に、前記対象物の表面よりも下側に位置する中央底部と前記対象物の前記表面よりも上側に位置する外周底部を有しており、
前記島状部及び前記凹部は、前記第２方向に沿って見た場合に前記中央底部に対応する領域内に位置している
コネクタ。
【請求項７】
請求項６記載のコネクタであって、
前記ハウジングの前記中央底部を少なくとも部分的に覆う底蓋を更に備える
コネクタ。
【請求項８】
請求項７記載のコネクタであって、
前記金属プレートは、前記ハウジングの前記中央底部から突出した外部圧入部を有しており、
前記底蓋には、被圧入部が形成されており、
前記外部圧入部は、前記被圧入部に受容されており、
前記底蓋は、前記中央底部に取り付けられている
コネクタ。
【請求項９】
請求項７又は請求項８記載のコネクタであって、
前記中央底部には、凹状又は凸状の第１固定部が形成されており、
前記底蓋には、凸状又は凹状の第２固定部が形成されており、
前記第１固定部と前記第２固定部の一方は他方に受容されており、
前記底蓋は、前記中央底部に取り付けられている
コネクタ。
【発明の詳細な説明】
【技術分野】
【０００１】
本発明は、ＥＳＤ（Electro-Static Discharge）対策の施されたコネクタに関する。
【背景技術】
【０００２】
ＥＳＤ対策の施されたコネクタとしては、例えば、特許文献１や特許文献２に開示されたものがある。特許文献１のコネクタにおいては、図８３に示されるように、島状の絶縁体の嵌合側端部に形成された溝内にワイヤを装着し、そのワイヤをシェルに接続することとしている。特許文献２のコネクタにおいては、図８４に示されるように、フィン状の絶縁体の嵌合側端部に形成された溝内にワイヤを装着し、そのワイヤをシェル（図示せず）に接続することとしている。かかる構造により、いずれのコネクタにおいても、例えば静電気を帯びたユーザの指が絶縁体の嵌合側端部に近づいてきた際に静電気をワイヤに落とすこととして、信号コンタクト及びそこに接続される回路等を静電気から保護している。
【先行技術文献】
【特許文献】
【０００３】
【特許文献１】特表２０００−５１６０２８号公報
【特許文献２】米国特許第５，５６７，１６９号
【発明の概要】
【発明が解決しようとする課題】
【０００４】
ノートＰＣやスレートＰＣ、タブレット端末、スマートフォンのような携帯情報機器と接続されるドッキングステーションに使用されるコネクタの場合、携帯情報機器への充電用の電力コンタクトを設けることが必要となる。ここで、一般的に、電源コンタクトは、信号コンタクトよりもサイズが大きい。
【０００５】
本発明は、電源コンタクトを備えると共にコネクタの大型化を避けることのできる構造を有するコネクタを提供することを目的とする。
【課題を解決するための手段】
【０００６】
本発明の発明者は、島状の絶縁体の長手方向の端部に電源コンタクトを配置することとすれば、コネクタの大型化を可能な限り避けつつコネクタに対して電源コンタクトを設けることができることを見出した。
【０００７】
しかし、特許文献１及び特許文献２のコネクタのようにＥＳＤ対策部材をワイヤで構成すると、島状の絶縁体の長手方向の両端においてワイヤとシェルとを接続しなければならないことから、上述したように島状の絶縁体の長手方向の端部に電源コンタクトを配置することができない。
【０００８】
そこで、本発明の発明者は、ワイヤに代えて金属プレートを用いると共に、その金属プレートと電気的に接続される部位を長手方向と直交する方向に引き出すことにより、島状の絶縁体の長手方向の端部に電源コンタクトを配置することとした。
【０００９】
具体的には、本発明は、上述した課題を解決するための手段として、以下に掲げるコネクタを提供する。
【００１０】
即ち、本発明は、第１のコネクタとして、
対象物に固定されるコネクタであって、
第１方向に長手を有すると共に前記第１方向と直交する第２方向に嵌合側端部を有する島状部と、前記第１方向及び前記第２方向の双方と直交する第３方向において前記島状部との間に凹部を有するようにして設けられた長壁部とを有するハウジングと、
接点部を有し且つ前記接点部が前記凹部内に露出するように前記ハウジングに保持された信号コンタクトと、
前記島状部の前記第１方向の端部に設けられた電源コンタクトと、
前記第２方向に沿って見た場合に前記嵌合側端部上又は前記嵌合側端部内に視認可能となるように前記島状部に少なくとも部分的に埋設保持されると共に前記信号コンタクト及び前記電源コンタクトから絶縁されたＥＳＤ（Electro-Static Discharge）対策用の金属プレートと、
前記第３方向における前記凹部の外側にて前記対象物に接続固定される接続部材と、
前記信号コンタクト及び前記電源コンタクトから絶縁された状態で前記金属プレートと前記接続部材とを連結する連結部材と
を備えるコネクタを提供する。
【００１１】
また、本発明は、第２のコネクタとして、第１のコネクタであって、
前記信号コンタクトは、前記嵌合側端部の裏側から前記ハウジングに圧入され保持されている
コネクタを提供する。
【００１２】
また、本発明は、第３のコネクタとして、第１又は第２のコネクタであって、
前記電源コンタクトの接点部は、前記第３方向において、前記島状部のサイズ内に収まっている
コネクタを提供する。
【００１３】
また、本発明は、第４のコネクタとして、第１乃至第３のいずれかのコネクタであって、
前記連結部材は、前記金属プレート及び前記接続部材の少なくとも一方と一体である
コネクタを提供する。
【００１４】
また、本発明は、第５のコネクタとして、第１乃至第４のいずれかのコネクタであって、
前記連結部材は、前記嵌合側端部側から前記ハウジングに挿入され保持されている
コネクタを提供する。
【００１５】
また、本発明は、第６のコネクタとして、第１乃至第４のいずれかのコネクタであって、
前記連結部材は、前記嵌合側端部の裏側から前記ハウジングに挿入され保持されている
コネクタを提供する。
【００１６】
また、本発明は、第７のコネクタとして、第１乃至第６のいずれかのコネクタであって、
前記長壁部を少なくとも部分的に覆うシェルを更に備えており、
前記接続部材は、前記シェルの一部として形成されている
コネクタを提供する。
【００１７】
また、本発明は、第８のコネクタとして、第１乃至第６のいずれかのコネクタであって、
前記長壁部を少なくとも部分的に覆うシェルを更に備えており、
前記接続部材は、前記シェルとは別体の部材として形成されている
コネクタを提供する。
【００１８】
また、本発明は、第９のコネクタとして、第１乃至第８のいずれかのコネクタであって、
前記ハウジングは、前記コネクタが前記対象物に固定された際に、前記対象物の表面よりも下側に位置する中央底部と前記対象物の前記表面よりも上側に位置する外周底部を有しており、
前記島状部及び前記凹部は、前記第２方向に沿って見た場合に前記中央底部に対応する領域内に位置している
コネクタを提供する。
【００１９】
また、本発明は、第１０のコネクタとして、第９のコネクタであって、
前記ハウジングの前記中央底部を少なくとも部分的に覆う底蓋を更に備える
コネクタを提供する。
【００２０】
また、本発明は、第１１のコネクタとして、第１０のコネクタであって、
前記金属プレートは、前記ハウジングの前記中央底部から突出した外部圧入部を有しており、
前記底蓋には、被圧入部が形成されており、
前記外部圧入部が前記被圧入部に圧入され、前記底蓋が前記中央底部に取り付けられている
コネクタを提供する。
【００２１】
更に、本発明は、第１２のコネクタとして、第１０又は第１１のコネクタであって、
前記中央底部には、凹状又は凸状の第１固定部が形成されており、
前記底蓋には、凸状又は凹状の第２固定部が形成されており、
前記第１固定部が前記第２固定部に嵌め合わされ、前記底蓋が前記中央底部に取り付けられている
コネクタを提供する。
【発明の効果】
【００２２】
本発明によれば、ハウジングの島状部に少なくとも部分的に埋設保持されたＥＳＤ対策用の金属プレートと、基板のような対象物に接続固定される接続部材と、金属プレートと接続部材とを連結する連結部材とを設けることにより、静電気を金属プレート、連結部材及び接続部材を介して基板のような対象物に落とすこととしたため、電源コンタクトをハウジングの島状部の長手方向の端部に設けることができ、コネクタの小型化を図ることができる。
【図面の簡単な説明】
【００２３】
【図１】本発明の第１の実施の形態によるコネクタを示す上面斜視図である。
【図２】図１のコネクタを示す底面斜視図である。
【図３】図１のコネクタが搭載固定される基板を示す斜視図である。
【図４】図３の基板に搭載された図１のコネクタを示す上面斜視図である。
【図５】図３の基板に搭載された図１のコネクタを示す底面斜視図である。
【図６】図１のコネクタを示す分解斜視図である。
【図７】図１のコネクタの一部を拡大して示す上面斜視図である。
【図８】図１のコネクタの他の一部を拡大して示す上面斜視図である。
【図９】図８のコネクタを異なる方向から見た上面斜視図である。
【図１０】図１のコネクタをＡ--Ａ線に沿って示す断面図である。
【図１１】図１のコネクタに含まれる連結部材を示す斜視図である。
【図１２】図１のコネクタに含まれる金属プレート、連結部材及びシェルの接続関係を示す部分拡大図である。
【図１３】図１のコネクタに含まれる金属プレート、連結部材及びシェルの接続関係を示す他の部分拡大図である。
【図１４】本発明の第２の実施の形態によるコネクタを示す上面斜視図である。
【図１５】図１４のコネクタを示す底面斜視図である。
【図１６】図１４のコネクタを示す分解斜視図である。
【図１７】図１４のコネクタをＢ--Ｂ線に沿って示す断面図である。
【図１８】図１４のコネクタに含まれる金属部材の一部を拡大して示す斜視図である。
【図１９】図１４のコネクタに含まれる金属部材及びシェルの接続関係を示す斜視図である。
【図２０】図１９のコネクタに含まれる金属部材及びシェルの接続関係を示す部分拡大図である。
【図２１】本発明の第３の実施の形態によるコネクタを示す上面斜視図である。
【図２２】図２１のコネクタを示す底面斜視図である。
【図２３】図２１のコネクタを示す分解斜視図である。
【図２４】図２１のコネクタをＣ--Ｃ線に沿って示す断面図である。
【図２５】図２１のコネクタに含まれる金属部材を示す斜視図である。
【図２６】図２１のコネクタに含まれる金属部材及びシェルの接続関係を示す斜視図である。
【図２７】図２１のコネクタに含まれる金属部材及びシェルの接続関係を示す部分拡大図である。
【図２８】本発明の第４の実施の形態によるコネクタを示す上面斜視図である。
【図２９】図２８のコネクタを示す底面斜視図である。
【図３０】図２８のコネクタを示す分解斜視図である。
【図３１】図２８のコネクタをＤ--Ｄ線に沿って示す断面図である。
【図３２】図２８のコネクタに含まれる金属部材を示す斜視図である。
【図３３】図２８のコネクタに含まれる金属部材及びシェルの接続関係を示す斜視図である。
【図３４】図２８のコネクタに含まれる金属部材及びシェルの接続関係を示す部分拡大図である。
【図３５】本発明の第５の実施の形態によるコネクタを示す上面斜視図である。
【図３６】図３５のコネクタを示す底面斜視図である。
【図３７】図３５のコネクタを示す分解斜視図である。
【図３８】図３５のコネクタをＥ--Ｅ線に沿って示す断面図である。
【図３９】図３５のコネクタに含まれる金属部材を示す斜視図である。
【図４０】本発明の第６の実施の形態によるコネクタを示す上面斜視図である。
【図４１】図４０のコネクタを示す底面斜視図である。
【図４２】図４１のコネクタの一部を拡大して示す底面斜視図である。
【図４３】図４０のコネクタを示す分解斜視図である。
【図４４】図４０のコネクタをＦ--Ｆ線に沿って示す断面図である。
【図４５】図４０のコネクタに含まれる金属プレートを示す斜視図である。
【図４６】図４０のコネクタに含まれるシェルを示す斜視図である。
【図４７】図４０のコネクタに含まれる連結部材を示す斜視図である。
【図４８】図４０のコネクタに含まれる金属プレート、連結部材及びシェルの接続関係を示す部分拡大図である。
【図４９】図４０のコネクタに含まれる金属プレート、連結部材及びシェルの接続関係を示す他の部分拡大図である。
【図５０】本発明の第７の実施の形態によるコネクタを示す上面斜視図である。
【図５１】図５０のコネクタを示す底面斜視図である。
【図５２】図５０のコネクタを示す分解斜視図である。
【図５３】図５０のコネクタをＧ--Ｇ線に沿って示す断面図である。
【図５４】図５０のコネクタに含まれる金属部材及びシェルの接続関係を示す斜視図である。
【図５５】本発明の第８の実施の形態によるコネクタを示す上面斜視図である。
【図５６】図５５のコネクタを示す底面斜視図である。
【図５７】図５５のコネクタを示す分解斜視図である。
【図５８】図５５のコネクタをＨ--Ｈ線に沿って示す断面図である。
【図５９】図５５のコネクタに含まれる金属部材を示す斜視図である。
【図６０】図５５のコネクタに含まれる金属プレート及び金属部材の接続関係を示す斜視図である。
【図６１】本発明の第９の実施の形態によるコネクタを示す上面斜視図である。
【図６２】図６１のコネクタを示す底面斜視図である。
【図６３】図６１のコネクタを示す分解斜視図である。
【図６４】図６１のコネクタをＩ--Ｉ線に沿って示す断面図である。
【図６５】図６１のコネクタに含まれる金属部材を示す斜視図である。
【図６６】図６１のコネクタに含まれる金属プレート及び金属部材の接続関係を示す部分拡大図である。
【図６７】本発明の第１０の実施の形態によるコネクタを示す上面斜視図である。
【図６８】図６７のコネクタを示す底面斜視図である。
【図６９】図６７のコネクタを示す分解斜視図である。
【図７０】図６７のコネクタをＪ--Ｊ線に沿って示す断面図である。
【図７１】図１６のコネクタに含まれる金属部材の変形例を示す斜視図である。
【図７２】図７１の変形例による金属部材を示す斜視図である。
【図７３】本発明の第１１の実施の形態によるコネクタを示す上面斜視図である。
【図７４】図７３のコネクタを示す底面斜視図である。
【図７５】図３の基板に搭載された図７３のコネクタを示す上面斜視図である。
【図７６】図３の基板に搭載された図７３のコネクタを示す底面斜視図である。
【図７７】図７３のコネクタを示す分解上面斜視図である。
【図７８】図７３のコネクタを示す分解底面斜視図である。
【図７９】図７３のコネクタをＫ--Ｋ線に沿って示す断面図である。
【図８０】図７３のコネクタをＬ--Ｌ線に沿って示す断面図である。
【図８１】図７３のコネクタの変形例を示す断面図である。
【図８２】図７３のコネクタの他の変形例を示す断面図である。
【図８３】特許文献１のコネクタを示す斜視図である。
【図８４】特許文献２のコネクタを示す斜視図である。
【発明を実施するための形態】
【００２４】
（第１の実施の形態）
図１乃至図５を参照すると、本発明の第１の実施の形態によるコネクタ１０ａは、いわゆる落とし込みタイプのものであり、基板（対象物）２００に形成された開口部２０２内に部分的に受容され固定されるものである。図３に示されるように、基板２００の開口部２０２は、Ｘ方向（第１方向）に長手を有している。開口部２０２のＸ方向に延びる縁には、電源コンタクト（後述）接続用のスルーホール２０４がそれぞれ２つの形成されている。基板２００の上面２００ｕ上であって、Ｘ方向における２つのスルーホール２０４間には、複数の半田付け部２０６が形成されている。Ｘ方向に並んだ半田付け部２０６は、３つのグループに分けられており、各グループ間には、シェル（後述）接続用のスルーホール２０８が形成されている。更に、開口部２０２の各コーナー相当部分には、シェル（後述）接続用のスルーホール２１０が形成されており、Ｙ方向（第３方向）における２つのスルーホール２１０間には、他の電源コンタクト（後述）接続用のスルーホール２１２が形成されている。
【００２５】
図１、図２及び図６を参照すると、本実施の形態によるコネクタ１０ａは、絶縁体からなるハウジング２０ａと、導電体からなる複数の信号コンタクト５０と、電源コンタクト６０及び７０と、ＥＳＤ対策用の金属プレート８０ａと、金属製のシェル（接続部材）９０ａと、金属製の連結部材１１０ａとを備えている。
【００２６】
図１並びに図６乃至図１０に示されるように、ハウジング２０ａは、Ｘ方向に長手を有する島状部２２ａと、ＸＹ平面内において島状部２２ａを取り囲むように形成された凹部２６ａと、ＸＹ平面内において凹部２６ａを更に取り囲むように形成された外周部２８ａとを有している。島状部２２ａは、Ｚ方向（第２方向）に嵌合側端部２４ａを有している。この島状部２２ａには、嵌合側端部２４ａから−Ｚ方向に向かって延びるスリット状の保持部２５ａが形成されている。保持部２５ａのＸ方向におけるサイズは、島状部２２ａのＸ方向におけるサイズよりも小さく、保持部２５ａは、島状部２２ａのＸ方向の端部までは達していない。凹部２６ａは、−Ｚ方向に向かって凹んでいる。外周部２８ａは、Ｘ方向に沿って延びる２つの長壁部３０ａと、Ｙ方向（第３方向）に沿って延びる２つの短壁部３２ａとを有している。各長壁部３０ａは、短壁部３２ａのＹ方向端部のうち対応する端部同士をＸ方向において連結している。各短壁部３２ａは、長壁部３０ａのＸ方向端部のうち対応する端部同士をＹ方向において連結している。Ｙ方向において、長壁部３０ａと島状部２２ａとの間には凹部２６ａが位置している。同様に、Ｘ方向において、短壁部３２ａと島状部２２ａとの間にも凹部２６ａが位置している。
【００２７】
図２、図４、図５及び図１０から理解されるように、ハウジング２０ａの底部は、概略、２つの部位からなる。即ち、ハウジング２０ａは、中央底部３４ａと、その中央底部３４ａを取り囲むように位置している外周底部３６ａとを有している。図２及び図１０に示されるように、中央底部３４ａは、外周底部３６ａよりも−Ｚ側に位置している。即ち、中央底部３４ａと嵌合側端部２４ａとの間のＺ方向における距離は、外周底部３６と嵌合側端部２４ａとの間のＺ方向における距離よりも大きい。図２乃至図５から理解されるように、中央底部３４ａは、コネクタ１０ａが基板２００に固定された際に、基板２００の上面２００ｕよりも下側に位置しており、外周底部３６ａは、基板２００の上面２００ｕよりも上側に位置している。更に、図１０から理解されるように、上述した島状部２２ａ及び凹部２６ａは、Ｚ方向に沿って見た場合に中央底部３４ａに対応する領域内に位置している。
【００２８】
図６及び図１０に示されるように、本実施の形態による信号コンタクト５０は、夫々、コネクタ１０ａと相手側コネクタ（図示せず）との嵌合状態において相手側接点部（図示せず）と接触する接点部５２と、コネクタ１０ａが基板２００に搭載固定された際に半田付け部２０６に接続されるＳＭＴ（Surface Mount Technology）端子５４とを有している。信号コンタクト５０は、嵌合側端部２４ａの裏側（底部側：−Ｚ側）からハウジング２０ａに圧入され、接点部５２が凹部２６ａ内に露出するようにハウジング２０ａに保持されている。
【００２９】
図６乃至図１０から理解されるように、信号コンタクト５０を収容する部位は島状部２２ａの嵌合側端部２４ａまで達しておらず、従って、信号コンタクト５０のうち最も＋Ｚ側に位置する部位は、ハウジング２０ａを−Ｚ方向に沿って見た場合に、嵌合側端部２４ａに隠れており視認することができない。換言すると、ハウジング２０ａを−Ｚ方向に沿って見た場合、信号コンタクト５０は、ＸＹ平面内において島状部２２ａ（嵌合側端部２４ａ）が占める領域外（即ち、凹部２６ａ内）においては視認することができるが、ＸＹ平面内において島状部２２ａ（嵌合側端部２４ａ）が占める領域内においては視認することができない。
【００３０】
図１、図２、図６及び図７に示されるように、本実施の形態による電源コンタクト６０は２つあり、島状部２２ａのＸ方向の両端に設けられている。各電源コンタクト６０は、コネクタ１０ａと相手側コネクタ（図示せず）との嵌合状態において相手側電源コンタクト（図示せず）と接触する接点部６２と、コネクタ１０ａが基板２００に搭載固定された際にスルーホール２０４（図３参照）に接続される接続部６４とを有している。図７に最もよく示されているように、電源コンタクト６０の接点部６２は、凹部２６ａ内において島状部２２ａのＸ方向端部を覆うように設けられている。本実施の形態による電源コンタクト６０の接点部６２の幅（即ち、Ｙ方向におけるサイズ）は、島状部２２ａの幅（即ち、Ｙ方向におけるサイズ）より僅かに小さい。即ち、本実施の形態による電源コンタクト６０の接点部６２は、Ｙ方向において、島状部２２ａのサイズ内に収まっている。図１、図２及び図７に示されるように、電源コンタクト６０の接続部６４は、各電源コンタクト６０につき２つあり、夫々、Ｙ方向に引き出されている。
【００３１】
図１、図２、図６及び図７に示されるように、本実施の形態による電源コンタクト７０は２つあり、夫々、短壁部３２ａ上に跨るように設けられている。各電源コンタクト７０は、コネクタ１０ａと相手側コネクタ（図示せず）との嵌合状態において相手側電源コンタクト（図示せず）と接触する接点部７２と、コネクタ１０ａが基板２００に搭載固定された際にスルーホール２１２（図３参照）に接続される接続部７４とを有している。図１に示されるように、電源コンタクト７０の接点部７２は、凹部２６ａ内において電源コンタクト６０の接点部６２と対向するように設けられている。即ち、接点部７２ａは、短壁部３２ａのＸ方向における内側面上に位置している。図１及び図７に示されるように、電源コンタクト７０の接続部７４は、短壁部３２ａのＸ方向外側に位置しており、−Ｚ側に向かって延びている。図１から理解されるように、本実施の形態においては、合計４つの電源コンタクト６０及び電源コンタクト７０がＸ方向に並んでいる。
【００３２】
図６に示されるように、金属プレート８０ａは、概略、Ｘ方向に細長く延びる板状の金属からなるものであり、−Ｚ方向に延びる圧入部８２ａを有している。図７乃至図１０から理解されるように、金属プレート８０ａは、島状部２２ａの嵌合側端部２４ａ側から保持部２５ａ内に圧入され、保持されている。即ち、金属プレート８０ａのＸ方向におけるサイズは、保持部２５ａ内に収まるサイズであり、島状部２２ａのＸ方向におけるサイズより小さい。これにより、金属プレート８０ａは、電源コンタクト６０と絶縁されている。同様に、本実施の形態による金属プレート８０ａは、信号コンタクト５０とも絶縁されている。この金属プレート８０ａは、Ｚ方向に沿って見た場合に、島状部２２ａの嵌合側端部２４ａ内に視認可能となっている状態で島状部２２ａに埋設保持されている。金属プレート８０ａと島状部２２ａの嵌合側端部２４ａとの間の距離は、信号コンタクト５０と島状部２２ａの嵌合側端部２４ａとの間の距離よりも短い。
【００３３】
上述したように、ハウジング２０ａを−Ｚ方向に沿って見た場合に、信号コンタクト５０は、ＸＹ平面内において島状部２２ａ（嵌合側端部２４ａ）が占める領域内においては視認することができないのに対して、金属プレート８０ａは嵌合側端部２４ａを通して視認可能となっている。このことから理解されるように、嵌合側端部２４ａから信号コンタクト５０までの沿面距離は、嵌合側端部２４ａから金属プレート８０ａまでの沿面距離よりも長く、従って、静電気を帯びたユーザの指などが島状部２２ａに近づいてきた際に、静電気を信号コンタクト５０ではなく金属プレート８０ａに対して確実に落とすことができる。
【００３４】
図１並びに図６乃至図９に示されるように、本実施の形態によるシェル（接続部材）９０ａは、２つの部材からなり、夫々、外周部２８ａの長壁部３０ａを覆っている。即ち、本実施の形態によるシェル９０ａは、Ｙ方向において、金属プレート８０ａから離れて位置している。なお、電源コンタクト７０を有さないタイプのコネクタの場合、シェル９０ａは短壁部３２ａを覆っていてもよい。また、電源コンタクト７０がシェル９０ａと同電位（グランドレベルなど）を与えられるものである場合には、電源コンタクト７０とシェル９０ａとを一体化することとしてもよい。シェル９０ａは、コネクタ１０ａを基板２００に搭載固定した状態において、スルーホール２１０に接続される固定部９２ａと、スルーホール２０８に接続される固定部９４ａとを有している。図１並びに図７乃至図９から明らかなように、固定部９４ａは、凹部２６ａのＹ方向の外側において基板２００のスルーホール２０８に接続固定される。
【００３５】
図６乃至図１０に示されるように、本実施の形態による連結部材１１０ａは、嵌合側端部２４ａ側（即ち、＋Ｚ側）からハウジング２０ａに挿入され保持されている。図１から明らかなように、連結部材１１０ａは、電源コンタクト６０や電源コンタクト７０とは、かなり離れて位置している。また、図９及び図１０から明らかなように、連結部材１１０ａは、信号コンタクト５０からも絶縁されている。図１１に示されるように、連結部材１１０ａは、ダボ１１２ａを有している。
【００３６】
図７乃至図１０並びに図１２及び図１３に示されるように、連結部材１１０ａは、金属プレート８０ａとシェル（接続部材）９０ａとをＹ方向において連結している。具体的には、図１０に最もよく示されるように、連結部材１１０ａは、凹部２６ａの内面に沿うようにして金属プレート８０ａとシェル（接続部材）９０ａとを連結している。これにより、静電気を帯びたユーザの指が島状部２２ａに近づいてきた際に、静電気を金属プレート８０ａ、連結部材１１０ａ及びシェル９０ａを介して基板２００に落とすことができる。なお、本実施の形態においては、連結部材１１０ａにダボ１１２ａが形成されていることから、金属プレート８０ａと連結部材１１０ａとの間及びシェル９０ａと連結部材１１０ａとの間において十分な接触圧を確保することができる。
【００３７】
図１から理解されるように、本実施の形態による連結部材１１０ａは、島状部２２ａのＸ方向の両端から離れた位置に位置している。即ち、本実施の形態においては、特許文献１や特許文献２と異なり、金属プレート８０ａ、連結部材１１０ａ及びシェル９０ａを用いて、静電気を基板２００に落とすルートを島状部２２ａのＸ方向端部以外に設けている。そのため、電源コンタクト６０をハウジング２０ａの島状部２２ａのＸ方向の端部に設けることができ、従って、コネクタ１０ａの小型化が図られている。加えて、短壁部３２ａを利用して更なる電源コンタクト７０を設けることとしたため、合計４つの電源コンタクト６０及び７０を設けたにもかかわらず、コネクタ１０ａの大型化を避けることができている。
【００３８】
また、信号コンタクト５０は裏側からハウジング２０ａに圧入されているので、凹部２６ａには信号コンタクト５０の露出が少なく、誤ってワイヤなどの金属部品が凹部２６ａに挿入されても、信号コンタクト５０へ接触する可能性は少ないので、特許文献１のコネクタよりもＥＳＤ対策として効果的である。
【００３９】
加えて、信号コンタクト５０は裏側からハウジング２０ａに圧入することとしたため、嵌合側端部２４ａから信号コンタクト５０までの沿面距離を長くとることができることから、金属プレート８０ａによるＥＳＤ対策をより確実なものとすることができる。
【００４０】
更に、落とし込みタイプ（ハウジング２０ａは、コネクタ１０ａが基板２００に固定された際に、上面２００ｕよりも下側に位置する中央底部３４ａと、上面２００ｕよりも上側に位置する外周底部３６ａを有する）とすることで、特許文献１のコネクタよりも実装状態の高さも低くなっており、小型化に寄与する。
【００４１】
（第２の実施の形態）
図１４乃至図１７を参照すると、本発明の第２の実施の形態によるコネクタ１０ｂは、いわゆる落とし込みタイプのものであって、上述した第１の実施の形態によるコネクタ１０ａの変形例であり、ほぼ同様の構成を備えている。従って、本実施の形態によるコネクタ１０ｂの構成要素のうち第１の実施の形態によるコネクタ１０ａの構成要素と同様又は同一の構成要素については同様又は同一の参照符号を付して説明を省略又は簡略し、以下においては、主として差異について説明することとする。
【００４２】
図１４、図１６及び図１７を参照すると、本実施の形態によるコネクタ１０ｂは、絶縁体からなるハウジング２０ｂと、導電体からなる複数の信号コンタクト５０と、電源コンタクト６０及び７０と、金属部材１２０ｂと、金属製のシェル（接続部材）９０ｂとを備えている。
【００４３】
図１４、図１６及び図１７に示されるように、ハウジング２０ｂは、Ｘ方向（第１方向）に長手を有する島状部２２ｂと、ＸＹ平面内において島状部２２ｂを取り囲むように形成された凹部２６ｂと、ＸＹ平面内において凹部２６ｂを更に取り囲むように形成された外周部２８ｂとを有している。島状部２２ｂは、Ｚ方向（第２方向）に嵌合側端部２４ｂを有している。この島状部２２ｂには、嵌合側端部２４ｂから−Ｚ方向に向かって延びるスリット状の保持部２５ｂが形成されている。凹部２６ｂは、−Ｚ方向に向かって凹んでいる。外周部２８ｂは、Ｘ方向に沿って延びる２つの長壁部３０ｂと、Ｙ方向（第３方向）に沿って延びる２つの短壁部３２ｂとを有している。Ｙ方向において、長壁部３０ｂと島状部２２ｂとの間には凹部２６ｂが位置している。同様に、Ｘ方向において、短壁部３２ｂと島状部２２ｂとの間にも凹部２６ｂが位置している。
【００４４】
図１５及び図１７から理解されるように、ハウジング２０ｂの底部は、概略、中央底部３４ｂと、その中央底部３４ｂを取り囲むように位置している外周底部３６ｂとからなる。図１７から理解されるように、上述した島状部２２ｂ及び凹部２６ｂは、Ｚ方向に沿って見た場合に中央底部３４ｂに対応する領域内に位置している。
【００４５】
図１４及び図１５に示されるように、信号コンタクト５０、電源コンタクト６０及び電源コンタクト７０は、ハウジング２０ｂに保持されている。信号コンタクト５０は、嵌合側端部２４ｂの裏側（底部側：−Ｚ側）からハウジング２０ｂに圧入され、接点部５２が凹部２６ｂ内に露出するようにハウジング２０ｂに保持されている。図１４に示されているように、電源コンタクト６０の接点部６２は、凹部２６ｂ内において島状部２２ｂのＸ方向端部を覆うように設けられている。図１４に示されるように、電源コンタクト７０は２つあり、夫々、短壁部３２ｂ上に跨るように設けられている。各電源コンタクト７０の接点部７２は、凹部２６ｂ内において電源コンタクト６０の接点部６２と対向するように設けられている。
【００４６】
図１６乃至図２０に示されるように、本実施の形態による金属部材１２０ｂは、ＥＳＤ対策用の金属プレート８０ｂと、金属製の連結部材１１０ｂとを一体化したものである。換言すると、金属部材１２０ｂは、一枚の金属母材板をプレスし、折り曲げ形成してなるものである。金属プレート８０ｂには圧入部８２ｂが設けられており、連結部材１１０ｂにはダボ１１２ｂが形成されている。図１４、図１６及び図１７から理解されるように、金属部材１２０ｂは、嵌合側端部２４ｂ側（即ち、＋Ｚ側）からハウジング２０ｂに圧入され保持されている。詳しくは、金属プレート８０ｂは、嵌合側端部２４ｂ側から視認可能な状態で、島状部２２ｂに保持されている。連結部材１１０ｂは、凹部２６ｂ内を通り外周部２８ｂの長壁部３０ｂ側まで延びている。
【００４７】
図１４及び図１６に示されるように、本実施の形態によるシェル（接続部材）９０ｂは、２つの部材からなり、夫々、外周部２８ｂの長壁部３０ｂを覆っている。シェル９０ｂは、スルーホール２１０（図３参照）に接続される固定部９２ｂと、スルーホール２０８（図３参照）に接続される固定部９４ｂとを有している。
【００４８】
図１７、図１９及び図２０に示されるように、金属部材１２０ｂとシェル９０ｂとは接続されている。具体的には、金属部材１２０ｂの連結部材１１０ｂのダボ１１２ｂがシェル９０ｂに押し付けられて接触し、それによって、金属部材１２０ｂとシェル９０ｂとが電気的に接続されている。金属部材１２０ｂとシェル９０ｂとの接続位置は、上述した第１の実施の形態と同様に、島状部２２ｂの長手方向（Ｘ方向：第１方向）の両端から離れた位置である。従って、本実施の形態においても、島状部２２ｂの長手方向の両端を有効活用することができ、コネクタ１０ｂの大型化を避けつつ、電源コンタクト６０及び電源コンタクト７０を設けることができる。
【００４９】
（第３の実施の形態）
図２１乃至図２４を参照すると、本発明の第３の実施の形態によるコネクタ１０ｃは、いわゆる落とし込みタイプのものであって、上述した第１の実施の形態によるコネクタ１０ａの変形例であり、ほぼ同様の構成を備えている。従って、本実施の形態によるコネクタ１０ｃの構成要素のうち第１の実施の形態によるコネクタ１０ａの構成要素と同様又は同一の構成要素については同様又は同一の参照符号を付して説明を省略又は簡略し、以下においては、主として差異について説明することとする。
【００５０】
図２１、図２３及び図２６を参照すると、本実施の形態によるコネクタ１０ｃは、絶縁体からなるハウジング２０ｃと、導電体からなる複数の信号コンタクト５０と、電源コンタクト６０及び７０と、金属プレート８０ｃと、金属部材１２０ｃとを備えている。
【００５１】
図２１、図２３及び図２４に示されるように、ハウジング２０ｃは、Ｘ方向（第１方向）に長手を有する島状部２２ｃと、ＸＹ平面内において島状部２２ｃを取り囲むように形成された凹部２６ｃと、ＸＹ平面内において凹部２６ｃを更に取り囲むように形成された外周部２８ｃとを有している。島状部２２ｃは、Ｚ方向（第２方向）に嵌合側端部２４ｃを有している。この島状部２２ｃには、嵌合側端部２４ｃから−Ｚ方向に向かって延びるスリット状の保持部２５ｃが形成されている。凹部２６ｃは、−Ｚ方向に向かって凹んでいる。外周部２８ｃは、Ｘ方向に沿って延びる２つの長壁部３０ｃと、Ｙ方向（第３方向）に沿って延びる２つの短壁部３２ｃとを有している。Ｙ方向において、長壁部３０ｃと島状部２２ｃとの間には凹部２６ｃが位置している。同様に、Ｘ方向において、短壁部３２ｃと島状部２２ｃとの間にも凹部２６ｃが位置している。
【００５２】
図２２及び図２４から理解されるように、ハウジング２０ｃの底部は、概略、中央底部３４ｃと、その中央底部３４ｃを取り囲むように位置している外周底部３６ｃとからなる。図２４から理解されるように、上述した島状部２２ｃ及び凹部２６ｃは、Ｚ方向に沿って見た場合に中央底部３４ｃに対応する領域内に位置している。
【００５３】
図２１及び図２２に示されるように、信号コンタクト５０、電源コンタクト６０及び電源コンタクト７０は、ハウジング２０ｃに保持されている。信号コンタクト５０は、嵌合側端部２４ｃの裏側（底部側：−Ｚ側）からハウジング２０ｃに圧入され、接点部５２が凹部２６ｃ内に露出するようにハウジング２０ｃに保持されている。図２１に示されているように、電源コンタクト６０の接点部６２は、凹部２６ｃ内において島状部２２ｃのＸ方向端部を覆うように設けられている。図２１に示されるように、電源コンタクト７０は２つあり、夫々、短壁部３２ｃ上に跨るように設けられている。各電源コンタクト７０の接点部７２は、凹部２６ｃ内において電源コンタクト６０の接点部６２と対向するように設けられている。
【００５４】
図２３に示されるように、本実施の形態による金属プレート８０ｃは、圧入部８２ｃを有している。図２１及び図２４に示されるように、金属プレート８０ｃは、嵌合側端部２４ｃ側からハウジング２０ｃの島状部２２ｃに圧入され、保持されている。この状態において、金属プレート８０ｃは、−Ｚ方向に沿って視認可能である。
【００５５】
図２３乃至図２７に示されるように、本実施の形態による金属部材１２０ｃは、金属製の連結部材１１０ｃとシェル（接続部材）９０ｃとを一体化したものであり、２つの部材からなる。換言すると、金属部材１２０ｃを構成する２つの部材の夫々は、一枚の金属母材板をプレスし、折り曲げ形成してなるものである。連結部材１１０ｃにはダボ１１２ｃが形成されており、シェル９０ｃにはスルーホール２１０（図３参照）に接続される固定部９２ｃと、スルーホール２０８（図３参照）に接続される固定部９４ｃとが設けられている。金属部材１２０ｃは、連結部材１１０ｃが凹部２６ｃ内に挿入され、且つシェル９０ｃが外周部２８ｃの長壁部３０ｃを覆うようにして、ハウジング２０ｃに取り付けられている。
【００５６】
図２４に示されるように、連結部材１１０ｃは、シェル９０ｃから凹部２６ｃ内を通り島状部２２ｃの保持部２５ｃ内まで延びている。これにより、連結部材１１０ｃのダボ１１２ｃが金属プレート８０ｃに押し付けられて接触し、それによって、金属部材１２０ｃと金属プレート８０ｃとが電気的に接続されている。金属部材１２０ｃと金属プレート８０ｃとの接続位置は、上述した第１の実施の形態と同様に、島状部２２ｃの長手方向（Ｘ方向：第１方向）の両端から離れた位置である。従って、本実施の形態においても、島状部２２ｃの長手方向の両端を有効活用することができ、コネクタ１０ｃの大型化を避けつつ、電源コンタクト６０及び電源コンタクト７０を設けることができる。
【００５７】
上述した第１乃至第３の実施の形態によるコネクタ１０ａ〜１０ｃにおいては、連結部材１１０ａ〜１１０ｃによって金属プレート８０ａ〜８０ｃをシェル（接続部材）９０ａ〜９０ｃに電気的に接続していたが、シェルとは別個の接続部材を設けて、その接続部材に対して金属プレートを連結部材により電気的に接続することとしてもよい。
【００５８】
（第４の実施の形態）
図２８乃至図３１を参照すると、本発明の第４の実施の形態によるコネクタ１０ｄは、いわゆる落とし込みタイプのものであって、上述した第３の実施の形態によるコネクタ１０ｃの変形例であり、ほぼ同様の構成を備えている。従って、本実施の形態によるコネクタ１０ｄの構成要素のうち第３の実施の形態によるコネクタ１０ｃの構成要素と同様又は同一の構成要素については同様又は同一の参照符号を付して説明を省略又は簡略し、以下においては、主として差異について説明することとする。
【００５９】
図２８、図３０及び図３１を参照すると、本実施の形態によるコネクタ１０ｄは、絶縁体からなるハウジング２０ｄと、導電体からなる複数の信号コンタクト５０と、電源コンタクト６０及び７０と、金属プレート８０ｄと、金属製のシェル９０ｄと、シェル９０ｄとは別個の部材である金属部材１２０ｄとを備えている。
【００６０】
図２８、図３０及び図３１に示されるように、ハウジング２０ｄは、Ｘ方向（第１方向）に長手を有する島状部２２ｄと、ＸＹ平面内において島状部２２ｄを取り囲むように形成された凹部２６ｄと、ＸＹ平面内において凹部２６ｄを更に取り囲むように形成された外周部２８ｄとを有している。島状部２２ｄは、Ｚ方向（第２方向）に嵌合側端部２４ｄを有している。この島状部２２ｄには、嵌合側端部２４ｄから−Ｚ方向に向かって延びるスリット状の保持部２５ｄが形成されている。凹部２６ｄは、−Ｚ方向に向かって凹んでいる。外周部２８ｄは、Ｘ方向に沿って延びる２つの長壁部３０ｄと、Ｙ方向（第３方向）に沿って延びる２つの短壁部３２ｄとを有している。Ｙ方向において、長壁部３０ｄと島状部２２ｄとの間には凹部２６ｄが位置している。同様に、Ｘ方向において、短壁部３２ｄと島状部２２ｄとの間にも凹部２６ｄが位置している。
【００６１】
図２９及び図３１から理解されるように、ハウジング２０ｄの底部は、概略、中央底部３４ｄと、その中央底部３４ｄを取り囲むように位置している外周底部３６ｄとからなる。図３１から理解されるように、上述した島状部２２ｄ及び凹部２６ｄは、Ｚ方向に沿って見た場合に中央底部３４ｄに対応する領域内に位置している。
【００６２】
図２８及び図２９に示されるように、信号コンタクト５０、電源コンタクト６０及び電源コンタクト７０は、ハウジング２０ｄに保持されている。信号コンタクト５０は、嵌合側端部２４ｄの裏側（底部側：−Ｚ側）からハウジング２０ｄに圧入され、接点部５２が凹部２６ｄ内に露出するようにハウジング２０ｄに保持されている。図２８に示されているように、電源コンタクト６０の接点部６２は、凹部２６ｄ内において島状部２２ｄのＸ方向端部を覆うように設けられている。図２８に示されるように、電源コンタクト７０は２つあり、夫々、短壁部３２ｄ上に跨るように設けられている。各電源コンタクト７０の接点部７２は、凹部２６ｄ内において電源コンタクト６０の接点部６２と対向するように設けられている。
【００６３】
図３０に示されるように、本実施の形態による金属プレート８０ｄは、圧入部８２ｄを有している。図２８及び図３１に示されるように、金属プレート８０ｄは、嵌合側端部２４ｄ側からハウジング２０ｄの島状部２２ｄに圧入され、保持されている。この状態において、金属プレート８０ｄは、−Ｚ方向に沿って視認可能である。
【００６４】
図２８及び図３０に示されるように、本実施の形態によるシェル９０ｄは、２セットのサブ部材からなり、夫々、外周部２８ｄの長壁部３０ｄを覆っている。シェル９０ｄには、スルーホール２１０（図３参照）に接続される固定部９２ｄと、スルーホール２０８（図３参照）に接続される固定部９４ｄとが形成されている。
【００６５】
本実施の形態によるシェル９０ｄの各セットは、例えば、第２の実施の形態によるシェル９０ｂを構成する部材の夫々に対応している。具体的には、第２の実施の形態によるシェル９０ｂを構成する２つの部材には、夫々、２つの固定部９４ｂが設けられていたが、本実施の形態によるシェル９０ｄの各セットのサブ部材は、シェル９０ｂの各部材の２つの固定部９４ｂのうちの１つに対応する部位で２つのサブ部材に分割されている。
【００６６】
図３０乃至図３４に示されるように、本実施の形態による金属部材１２０ｄは、シェル９０ｄとは別個に設けられた金属製の接続部材１００ｄと金属製の連結部材１１０ｄとを一体化したものである。換言すると、金属部材１２０ｄは、一枚の金属母材板をプレスし、折り曲げ形成してなるものである。連結部材１１０ｄにはダボ１１２ｄが形成されており、接続部材１００ｄには、圧入突起が形成されている。金属部材１２０ｄは、連結部材１１０ｄが凹部２６ｄ内に挿入され、且つ、接続部材１００ｄがスルーホール２０８の一つに対応する位置において外周部２８ｄの長壁部３０ｄに圧入され、ハウジング２０ｄに取り付けられている。
【００６７】
図３１に示されるように、連結部材１１０ｄは、接続部材１００ｄから凹部２６ｄ内を通り島状部２２ｄの保持部２５ｄ内まで延びている。これにより、連結部材１１０ｄのダボ１１２ｄが金属プレート８０ｄに押し付けられて接触し、それによって、金属部材１２０ｄと金属プレート８０ｄとが電気的に接続されている。金属部材１２０ｄと金属プレート８０ｄとの接続位置は、上述した第１の実施の形態と同様に、島状部２２ｄの長手方向（Ｘ方向：第１方向）の両端から離れた位置である。従って、本実施の形態においても、島状部２２ｄの長手方向の両端を有効活用することができ、コネクタ１０ｄの大型化を避けつつ、電源コンタクト６０及び電源コンタクト７０を設けることができる。
【００６８】
（第５の実施の形態）
図３５乃至図３８を参照すると、本発明の第５の実施の形態によるコネクタ１０ｅは、いわゆる落とし込みタイプのものであって、上述した第４の実施の形態によるコネクタ１０ｄの変形例であり、ほぼ同様の構成を備えている。従って、本実施の形態によるコネクタ１０ｅの構成要素のうち第４の実施の形態によるコネクタ１０ｄの構成要素と同様又は同一の構成要素については同様又は同一の参照符号を付して説明を省略又は簡略し、以下においては、主として差異について説明することとする。
【００６９】
図３５、図３７及び図３８を参照すると、本実施の形態によるコネクタ１０ｅは、絶縁体からなるハウジング２０ｅと、導電体からなる複数の信号コンタクト５０と、電源コンタクト６０及び７０と、金属製のシェル９０ｅと、シェル９０ｅとは別個の部材である金属部材１２０ｅとを備えている。
【００７０】
図３５、図３７及び図３８に示されるように、ハウジング２０ｅは、Ｘ方向（第１方向）に長手を有する島状部２２ｅと、ＸＹ平面内において島状部２２ｅを取り囲むように形成された凹部２６ｅと、ＸＹ平面内において凹部２６ｅを更に取り囲むように形成された外周部２８ｅとを有している。島状部２２ｅは、Ｚ方向（第２方向）に嵌合側端部２４ｅを有している。この島状部２２ｅには、嵌合側端部２４ｅから−Ｚ方向に向かって延びるスリット状の保持部２５ｅが形成されている。凹部２６ｅは、−Ｚ方向に向かって凹んでいる。外周部２８ｅは、Ｘ方向に沿って延びる２つの長壁部３０ｅと、Ｙ方向（第３方向）に沿って延びる２つの短壁部３２ｅとを有している。Ｙ方向において、長壁部３０ｅと島状部２２ｅとの間には凹部２６ｅが位置している。同様に、Ｘ方向において、短壁部３２ｅと島状部２２ｅとの間にも凹部２６ｅが位置している。
【００７１】
図３６及び図３８から理解されるように、ハウジング２０ｅの底部は、概略、中央底部３４ｅと、その中央底部３４ｅを取り囲むように位置している外周底部３６ｅとからなる。図３８から理解されるように、上述した島状部２２ｅ及び凹部２６ｅは、Ｚ方向に沿って見た場合に中央底部３４ｅに対応する領域内に位置している。
【００７２】
図３５及び図３６に示されるように、信号コンタクト５０、電源コンタクト６０及び電源コンタクト７０は、ハウジング２０ｅに保持されている。信号コンタクト５０は、嵌合側端部２４ｅの裏側（底部側：−Ｚ側）からハウジング２０ｅに圧入され、接点部５２が凹部２６ｅ内に露出するようにハウジング２０ｅに保持されている。図３５に示されているように、電源コンタクト６０の接点部６２は、凹部２６ｅ内において島状部２２ｅのＸ方向端部を覆うように設けられている。図３５に示されるように、電源コンタクト７０は２つあり、夫々、短壁部３２ｅ上に跨るように設けられている。各電源コンタクト７０の接点部７２は、凹部２６ｅ内において電源コンタクト６０の接点部６２と対向するように設けられている。
【００７３】
図３５及び図３７に示されるように、本実施の形態によるシェル９０ｅは、第４の実施の形態によるシェル９０ｄと同様に２セットのサブ部材からなり、夫々、外周部２８ｅの長壁部３０ｅを覆っている。シェル９０ｅには、スルーホール２１０（図３参照）に接続される固定部９２ｅと、スルーホール２０８（図３参照）に接続される固定部９４ｅとが形成されている。
【００７４】
図３７乃至図３９に示されるように、本実施の形態による金属部材１２０ｅは、シェル９０ｅとは別個に設けられた金属製の接続部材１００ｅと、金属プレート８０ｅと、金属製の連結部材１１０ｅとを一体化したものである。換言すると、金属部材１２０ｅは、一枚の金属母材板をプレスし、折り曲げ形成してなるものである。
【００７５】
図３７及び図３９に示されるように、本実施の形態による金属プレート８０ｅは、圧入部８２ｅを有している。図３５、図３７及び図３８に示されるように、金属プレート８０ｅは、嵌合側端部２４ｅ側からハウジング２０ｅの島状部２２ｅに圧入され、保持されている。この状態において、金属プレート８０ｅは、−Ｚ方向に沿って視認可能である。更に、連結部材１１０ｅは凹部２６ｅ内に挿入され、接続部材１００ｅはスルーホール２０８の一つに対応する位置において外周部２８ｅの長壁部３０ｅに取り付けられている。このようにして、金属部材１２０ｅは、ハウジング２０ｅに保持されている。
【００７６】
図３８に示されるように、金属部材１２０ｅを構成する金属プレート８０ｅ、接続部材１００ｅ及び連結部材１１０ｅは、島状部２２ｅの保持部２５ｅ内から外周部２８ｅの長壁部３０ｅの外側まで延びる電気的経路を構成している。金属部材１２０ｅにおける連結部材１１０ｅ及び接続部材１００ｅのハウジング２０ｅに対する取付位置は、島状部２２ｅの長手方向（Ｘ方向：第１方向）の両端から離れた位置である。そのため、本実施の形態においても、島状部２２ｅの長手方向の両端を有効活用することができ、コネクタ１０ｅの大型化を避けつつ、電源コンタクト６０及び電源コンタクト７０を設けることができる。
【００７７】
上述した第１乃至第５の実施の形態によるコネクタ１０ａ〜１０ｅにおいては、連結部材１１０ａ〜１１０ｅが嵌合側端部２４ａ〜２４ｅ側から（＋Ｚ側から）凹部２６ａ〜２６ｅ内に挿入され、ハウジング２０ａ〜２０ｅに保持されていたが、本発明はこれに限定されるわけではない。例えば、連結部材を嵌合側端部とは反対側から（底部側から：−Ｚ側から）ハウジングに対して連結部材を挿入し保持させることとしてもよい。
【００７８】
（第６の実施の形態）
図４０乃至図４４を参照すると、本発明の第６の実施の形態によるコネクタ１０ｆは、いわゆる落とし込みタイプのものであって、上述した第１の実施の形態によるコネクタ１０ａの変形例であり、ほぼ同様の構成を備えている。従って、本実施の形態によるコネクタ１０ｆの構成要素のうち第１の実施の形態によるコネクタ１０ａの構成要素と同様又は同一の構成要素については同様又は同一の参照符号を付して説明を省略又は簡略し、以下においては、主として差異について説明することとする。
【００７９】
図４０、図４３及び図４４を参照すると、本実施の形態によるコネクタ１０ｆは、絶縁体からなるハウジング２０ｆと、導電体からなる複数の信号コンタクト５０と、電源コンタクト６０及び７０と、ＥＳＤ対策用の金属プレート８０ｆと、金属製のシェル（接続部材）９０ｆと、金属製の連結部材１１０ｆとを備えている。
【００８０】
図４０及び図４４に示されるように、ハウジング２０ｆは、Ｘ方向（第１方向）に長手を有する島状部２２ｆと、ＸＹ平面内において島状部２２ｆを取り囲むように形成された凹部２６ｆと、ＸＹ平面内において凹部２６ｆを更に取り囲むように形成された外周部２８ｆとを有している。島状部２２ｆは、Ｚ方向（第２方向）に嵌合側端部２４ｆを有している。この島状部２２ｆには、嵌合側端部２４ｆから−Ｚ方向に向かって延びるスリット状の保持部２５ｆが形成されている。凹部２６ｆは、−Ｚ方向に向かって凹んでいる。外周部２８ｆは、Ｘ方向に沿って延びる２つの長壁部３０ｆと、Ｙ方向（第３方向）に沿って延びる２つの短壁部３２ｆとを有している。Ｙ方向において、長壁部３０ｆと島状部２２ｆとの間には凹部２６ｆが位置している。同様に、Ｘ方向において、短壁部３２ｆと島状部２２ｆとの間にも凹部２６ｆが位置している。
【００８１】
図４１、図４２及び図４４から理解されるように、ハウジング２０ｆの底部は、概略、中央底部３４ｆと、その中央底部３４ｆを取り囲むように位置している外周底部３６ｆとからなる。図４４から理解されるように、上述した島状部２２ｆ及び凹部２６ｆは、Ｚ方向に沿って見た場合に中央底部３４ｆに対応する領域内に位置している。
【００８２】
図４０及び図４１に示されるように、信号コンタクト５０、電源コンタクト６０及び電源コンタクト７０は、ハウジング２０ｆに保持されている。信号コンタクト５０は、嵌合側端部２４ｆの裏側（底部側：−Ｚ側）からハウジング２０ｆに圧入され、接点部５２が凹部２６ｆ内に露出するようにハウジング２０ｆに保持されている。図４０に示されているように、電源コンタクト６０の接点部６２は、凹部２６ｆ内において島状部２２ｆのＸ方向端部を覆うように設けられている。図４０に示されるように、電源コンタクト７０は２つあり、夫々、短壁部３２ｆ上に跨るように設けられている。各電源コンタクト７０の接点部７２は、凹部２６ｆ内において電源コンタクト６０の接点部６２と対向するように設けられている。
【００８３】
図４２及び図４５に示されるように、本実施の形態による金属プレート８０ｆは、圧入部８２ｆを有している。本実施の形態による圧入部８２ｆは２つあり、それらには互いに異なる方向へ突出したダボ８４ｆが形成されている。図４０及び図４４に示されるように、金属プレート８０ｆは、嵌合側端部２４ｆ側からハウジング２０ｆの島状部２２ｆに圧入され、保持されている。この状態において、金属プレート８０ｆは、−Ｚ方向に沿って視認可能である。また、本実施の形態による金属プレート８０ｆは、図４２に示されるように、ハウジング２０ｆの中央底部３４ｆから−Ｚ方向に僅かに突出している。
【００８４】
図４０及び図４３に示されるように、本実施の形態によるシェル（接続部材）９０ｆは、２つの部材からなり、夫々、外周部２８ｆの長壁部３０ｆを覆っている。シェル９０ｆは、スルーホール２１０（図３参照）に接続される固定部９２ｆと、スルーホール２０８（図３参照）に接続される固定部９４ｆとを有している。また、図４６、図４８及び図４９から理解されるように、シェル９０ｆのうち、後述する連結部材１１０ｆと接続される部位にはダボ９６ｆが形成されている。
【００８５】
本実施の形態による連結部材１１０ｆは、図４３及び図４７に示されるようなΓ形状を有しており、図４１及び図４２に示されるように、嵌合側端部２４ｆの裏側（即ち、−Ｚ側）からハウジング２０ｆに挿入され保持されている。図４１及び図４２から明らかなように、連結部材１１０ｆは、電源コンタクト６０や電源コンタクト７０とは、かなり離れて位置している。また、図４２及び図４４から明らかなように、連結部材１１０ｆは、信号コンタクト５０からも絶縁されている。
【００８６】
図４４、図４８及び図４９に示されるように、連結部材１１０ｆは、金属プレート８０ｆとシェル（接続部材）９０ｆとをＹ方向において連結している。具体的には、図４４に最もよく示されるように、連結部材１１０ｆは、中央底部３４ｆに沿うようにして金属プレート８０ｆとシェル（接続部材）９０ｆとを連結している。この際、本実施の形態による金属プレート８０ｆとシェル９０ｆとには、夫々、ダボ８４ｆ及びダボ９６ｆが形成されていることから、金属プレート８０ｆと連結部材１１０ｆとの間及びシェル９０ｆと連結部材１１０ｆとの間において十分な接触圧を確保することができる。
【００８７】
図４１及び図４２から理解されるように、本実施の形態による連結部材１１０ｆは、島状部２２ｆのＸ方向の両端から離れた位置において、金属プレート８０ｆとシェル９０ｆとを接続している。従って、本実施の形態においても、島状部２２ｆの長手方向の両端を有効活用することができ、コネクタ１０ｆの大型化を避けつつ、電源コンタクト６０及び電源コンタクト７０を設けることができる。
【００８８】
（第７の実施の形態）
図５０乃至図５３を参照すると、本発明の第７の実施の形態によるコネクタ１０ｇは、いわゆる落とし込みタイプのものであって、上述した第６の実施の形態によるコネクタ１０ｆの変形例であり、ほぼ同様の構成を備えている。従って、本実施の形態によるコネクタ１０ｇの構成要素のうち第６の実施の形態によるコネクタ１０ｆの構成要素と同様又は同一の構成要素については同様又は同一の参照符号を付して説明を省略又は簡略し、以下においては、主として差異について説明することとする。
【００８９】
図５０、図５２及び図５３を参照すると、本実施の形態によるコネクタ１０ｇは、絶縁体からなるハウジング２０ｇと、導電体からなる複数の信号コンタクト５０と、電源コンタクト６０及び７０と、金属部材１２０ｇと、金属製のシェル（接続部材）９０ｇとを備えている。
【００９０】
図５０及び図５３に示されるように、ハウジング２０ｇは、Ｘ方向（第１方向）に長手を有する島状部２２ｇと、ＸＹ平面内において島状部２２ｇを取り囲むように形成された凹部２６ｇと、ＸＹ平面内において凹部２６ｇを更に取り囲むように形成された外周部２８ｇとを有している。島状部２２ｇは、Ｚ方向（第２方向）に嵌合側端部２４ｇを有している。この島状部２２ｇには、嵌合側端部２４ｇから−Ｚ方向に向かって延びるスリット状の保持部２５ｇが形成されている。凹部２６ｇは、−Ｚ方向に向かって凹んでいる。外周部２８ｇは、Ｘ方向に沿って延びる２つの長壁部３０ｇと、Ｙ方向（第３方向）に沿って延びる２つの短壁部３２ｇとを有している。Ｙ方向において、長壁部３０ｇと島状部２２ｇとの間には凹部２６ｇが位置している。同様に、Ｘ方向において、短壁部３２ｇと島状部２２ｇとの間にも凹部２６ｇが位置している。
【００９１】
図５１乃至図５３から理解されるように、ハウジング２０ｇの底部は、概略、中央底部３４ｇと、その中央底部３４ｇを取り囲むように位置している外周底部３６ｇとからなる。図５３から理解されるように、上述した島状部２２ｇ及び凹部２６ｇは、Ｚ方向に沿って見た場合に中央底部３４ｇに対応する領域内に位置している。
【００９２】
図５０及び図５１に示されるように、信号コンタクト５０、電源コンタクト６０及び電源コンタクト７０は、ハウジング２０ｇに保持されている。信号コンタクト５０は、嵌合側端部２４ｇの裏側（底部側：−Ｚ側）からハウジング２０ｇに圧入され、接点部５２が凹部２６ｇ内に露出するようにハウジング２０ｇに保持されている。図５０に示されているように、電源コンタクト６０の接点部６２は、凹部２６ｇ内において島状部２２ｇのＸ方向端部を覆うように設けられている。図５０に示されるように、電源コンタクト７０は２つあり、夫々、短壁部３２ｇ上に跨るように設けられている。各電源コンタクト７０の接点部７２は、凹部２６ｇ内において電源コンタクト６０の接点部６２と対向するように設けられている。
【００９３】
図５２乃至図５４に示されるように、本実施の形態による金属部材１２０ｇは、ＥＳＤ対策用の金属プレート８０ｇと、金属製の連結部材１１０ｇとを一体化したものである。換言すると、金属部材１２０ｇは、一枚の金属母材板をプレスし、折り曲げ形成してなるものである。金属プレート８０ｇには圧入部８２ｇが設けられている。連結部材１１０ｇにはバネ性を有する接触部１１２ｇが設けられている。図５２及び図５３から理解されるように、金属部材１２０ｇは、嵌合側端部２４ｇの裏側（即ち、−Ｚ側：底部側）からハウジング２０ｇに圧入され保持されている。詳しくは、金属プレート８０ｇは、嵌合側端部２４ｇ側及び中央底部３４ｇ側の双方から視認可能な状態で、島状部２２ｇに保持されている。連結部材１１０ｇは、中央底部３４ｇに沿うようにして外周部２８ｇの長壁部３０ｇまで延びている。
【００９４】
図５０及び図５２に示されるように、本実施の形態によるシェル（接続部材）９０ｇは、２つの部材からなり、夫々、外周部２８ｇの長壁部３０ｇを覆っている。シェル９０ｇは、スルーホール２１０（図３参照）に接続される固定部９２ｇと、スルーホール２０８（図３参照）に接続される固定部９４ｇとを有している。
【００９５】
図５１、図５３及び図５４に示されるように、金属部材１２０ｇとシェル９０ｇとは接続されている。具体的には、金属部材１２０ｇの連結部材１１０ｇの接触部１１２ｇがシェル９０ｇに押し付けられて接触し、それによって、金属部材１２０ｇとシェル９０ｇとが電気的に接続されている。金属部材１２０ｇとシェル９０ｇとの接続位置は、上述した第１の実施の形態と同様に、島状部２２ｇの長手方向（Ｘ方向：第１方向）の両端から離れた位置である。従って、本実施の形態においても、島状部２２ｇの長手方向の両端を有効活用することができ、コネクタ１０ｇの大型化を避けつつ、電源コンタクト６０及び電源コンタクト７０を設けることができる。
【００９６】
（第８の実施の形態）
図５５乃至図５８を参照すると、本発明の第８の実施の形態によるコネクタ１０ｈは、いわゆる落とし込みタイプのものであって、上述した第６の実施の形態によるコネクタ１０ｆの変形例であり、ほぼ同様の構成を備えている。従って、本実施の形態によるコネクタ１０ｈの構成要素のうち第６の実施の形態によるコネクタ１０ｆの構成要素と同様又は同一の構成要素については同様又は同一の参照符号を付して説明を省略又は簡略し、以下においては、主として差異について説明することとする。
【００９７】
図５５、図５７及び図５８を参照すると、本実施の形態によるコネクタ１０ｈは、絶縁体からなるハウジング２０ｈと、導電体からなる複数の信号コンタクト５０と、電源コンタクト６０及び７０と、金属プレート８０ｈと、金属部材１２０ｈとを備えている。
【００９８】
図５５及び図５７に示されるように、ハウジング２０ｈは、Ｘ方向（第１方向）に長手を有する島状部２２ｈと、ＸＹ平面内において島状部２２ｈを取り囲むように形成された凹部２６ｈと、ＸＹ平面内において凹部２６ｈを更に取り囲むように形成された外周部２８ｈとを有している。島状部２２ｈは、Ｚ方向（第２方向）に嵌合側端部２４ｈを有している。この島状部２２ｈには、嵌合側端部２４ｈから−Ｚ方向に向かって延びるスリット状の保持部２５ｈが形成されている。凹部２６ｈは、−Ｚ方向に向かって凹んでいる。外周部２８ｈは、Ｘ方向に沿って延びる２つの長壁部３０ｈと、Ｙ方向（第３方向）に沿って延びる２つの短壁部３２ｈとを有している。Ｙ方向において、長壁部３０ｈと島状部２２ｈとの間には凹部２６ｈが位置している。同様に、Ｘ方向において、短壁部３２ｈと島状部２２ｈとの間にも凹部２６ｈが位置している。
【００９９】
図５６乃至図５８から理解されるように、ハウジング２０ｈの底部は、概略、中央底部３４ｈと、その中央底部３４ｈを取り囲むように位置している外周底部３６ｈとからなる。図５８から理解されるように、上述した島状部２２ｈ及び凹部２６ｈは、Ｚ方向に沿って見た場合に中央底部３４ｈに対応する領域内に位置している。
【０１００】
図５５及び図５６に示されるように、信号コンタクト５０、電源コンタクト６０及び電源コンタクト７０は、ハウジング２０ｈに保持されている。信号コンタクト５０は、嵌合側端部２４ｈの裏側（底部側：−Ｚ側）からハウジング２０ｈに圧入され、接点部５２が凹部２６ｈ内に露出するようにハウジング２０ｈに保持されている。図５５に示されているように、電源コンタクト６０の接点部６２は、凹部２６ｈ内において島状部２２ｈのＸ方向端部を覆うように設けられている。図５５に示されるように、電源コンタクト７０は２つあり、夫々、短壁部３２ｈ上に跨るように設けられている。各電源コンタクト７０の接点部７２は、凹部２６ｈ内において電源コンタクト６０の接点部６２と対向するように設けられている。
【０１０１】
図５７に示されるように、本実施の形態による金属プレート８０ｈは、４つの圧入部８２ｈを有している。圧入部８２ｈのうち、Ｘ方向における内側の２つの圧入部８２ｈには、互いに異なる方向に突出したダボ８４ｈが形成されている。図５５及び図５８に示されるように、金属プレート８０ｈは、嵌合側端部２４ｈ側からハウジング２０ｈの島状部２２ｈに圧入され、保持されている。この状態において、金属プレート８０ｈは、−Ｚ方向に沿って視認可能である。
【０１０２】
図５７乃至図６０に示されるように、本実施の形態による金属部材１２０ｈは、金属製の連結部材１１０ｈとシェル（接続部材）９０ｈとを一体化したものであり、２つの部材からなる。換言すると、金属部材１２０ｈを構成する２つの部材の夫々は、一枚の金属母材板をプレスし、折り曲げ形成してなるものである。シェル９０ｈにはスルーホール２１０（図３参照）に接続される固定部９２ｈと、スルーホール２０８（図３参照）に接続される固定部９４ｈとが設けられている。図５７に示されるように、連結部材１１０ｈは、ハウジング２０ｈへの取り付け前の状態において、−Ｚ方向に延びている。この状態において、外周部２８ｈの長壁部３０ｈを覆うようにシェル９０ｈを取り付け、その後、図５９に示されるように、連結部材１１０ｈを折り曲げ、図５６及び図５８に示されるように、金属部材１２０ｈをハウジング２０ｈに取り付ける。
【０１０３】
図５８及び図６０に示されるように、連結部材１１０ｈは、中央底部３４ｈに沿うようにして外周部２８ｈの長壁部３０ｈから金属プレート８０ｈまで延びている。これにより、金属プレート８０ｈのダボ８４ｈが連結部材１１０ｈに押し付けられて接触し、それによって、金属部材１２０ｈと金属プレート８０ｈとが電気的に接続されている。金属部材１２０ｈと金属プレート８０ｈとの接続位置は、上述した第１の実施の形態と同様に、島状部２２ｈの長手方向（Ｘ方向：第１方向）の両端から離れた位置である。従って、本実施の形態においても、島状部２２ｈの長手方向の両端を有効活用することができ、コネクタ１０ｈの大型化を避けつつ、電源コンタクト６０及び電源コンタクト７０を設けることができる。
【０１０４】
上述した第６乃至第８の実施の形態によるコネクタ１０ｆ〜１０ｈは、第１乃至第３の実施の形態によるコネクタ１０ａ〜１０ｃと同様に、連結部材１１０ｆ〜１１０ｈによって金属プレート８０ｆ〜８０ｈをシェル（接続部材）９０ｆ〜９０ｈに電気的に接続していたが、第４及び第５の実施の形態のように、シェルとは別個の接続部材を設けて、その接続部材に対して金属プレートを連結部材により電気的に接続するととしてもよい。
【０１０５】
（第９の実施の形態）
図６１乃至図６４を参照すると、本発明の第９の実施の形態によるコネクタ１０ｉは、いわゆる落とし込みタイプのものであって、上述した第８の実施の形態によるコネクタ１０ｈの変形例であり、ほぼ同様の構成を備えている。従って、本実施の形態によるコネクタ１０ｉの構成要素のうち第８の実施の形態によるコネクタ１０ｈの構成要素と同様又は同一の構成要素については同様又は同一の参照符号を付して説明を省略又は簡略し、以下においては、主として差異について説明することとする。
【０１０６】
図６１、図６３及び図６４を参照すると、本実施の形態によるコネクタ１０ｉは、絶縁体からなるハウジング２０ｉと、導電体からなる複数の信号コンタクト５０と、電源コンタクト６０及び７０と、金属プレート８０ｉと、金属製のシェル９０ｉと、シェル９０ｉとは別個の部材である金属部材１２０ｉとを備えている。
【０１０７】
図６１及び図６４に示されるように、ハウジング２０ｉは、Ｘ方向（第１方向）に長手を有する島状部２２ｉと、ＸＹ平面内において島状部２２ｉを取り囲むように形成された凹部２６ｉと、ＸＹ平面内において凹部２６ｉを更に取り囲むように形成された外周部２８ｉとを有している。島状部２２ｉは、Ｚ方向（第２方向）に嵌合側端部２４ｉを有している。この島状部２２ｉには、嵌合側端部２４ｉから−Ｚ方向に向かって延びるスリット状の保持部２５ｉが形成されている。凹部２６ｉは、−Ｚ方向に向かって凹んでいる。外周部２８ｉは、Ｘ方向に沿って延びる２つの長壁部３０ｉと、Ｙ方向（第３方向）に沿って延びる２つの短壁部３２ｉとを有している。Ｙ方向において、長壁部３０ｉと島状部２２ｉとの間には凹部２６ｉが位置している。同様に、Ｘ方向において、短壁部３２ｉと島状部２２ｉとの間にも凹部２６ｉが位置している。
【０１０８】
図６２乃至図６４から理解されるように、ハウジング２０ｉの底部は、概略、中央底部３４ｉと、その中央底部３４ｉを取り囲むように位置している外周底部３６ｉとからなる。図６４から理解されるように、上述した島状部２２ｉ及び凹部２６ｉは、Ｚ方向に沿って見た場合に中央底部３４ｉに対応する領域内に位置している。
【０１０９】
図６１及び図６２に示されるように、信号コンタクト５０、電源コンタクト６０及び電源コンタクト７０は、ハウジング２０ｉに保持されている。信号コンタクト５０は、嵌合側端部２４ｉの裏側（底部側：−Ｚ側）からハウジング２０ｉに圧入され、接点部５２が凹部２６ｉ内に露出するようにハウジング２０ｉに保持されている。図６１に示されているように、電源コンタクト６０の接点部６２は、凹部２６ｉ内において島状部２２ｉのＸ方向端部を覆うように設けられている。図６１に示されるように、電源コンタクト７０は２つあり、夫々、短壁部３２ｉ上に跨るように設けられている。各電源コンタクト７０の接点部７２は、凹部２６ｉ内において電源コンタクト６０の接点部６２と対向するように設けられている。
【０１１０】
図６３に示されるように、本実施の形態による金属プレート８０ｉは、４つの圧入部８２ｉを有している。圧入部８２ｉのうち、Ｘ方向における内側の２つの圧入部８２ｉには、＋Ｙ側に突出したダボ８４ｉが形成されている。図６１及び図６４に示されるように、金属プレート８０ｉは、嵌合側端部２４ｉ側からハウジング２０ｉの島状部２２ｉに圧入され、保持されている。この状態において、金属プレート８０ｉは、−Ｚ方向に沿って視認可能である。
【０１１１】
図６１及び図６３に示されるように、本実施の形態によるシェル９０ｉは、２つの部材からなり、夫々、外周部２８ｉの長壁部３０ｉを覆っている。本実施の形態によるシェル９０ｉには、スルーホール２１０（図３参照）に接続される固定部９２ｉは形成されているが、スルーホール２０８（図３参照）に接続される固定部は形成されていない。
【０１１２】
図６３に示されるように、本実施の形態による金属部材１２０ｉは、シェル９０ｉとは別個に設けられた金属製の接続部材１００ｉと金属製の連結部材１１０ｉとを一体化したものである。換言すると、金属部材１２０ｉは、一枚の金属母材板をプレスし、折り曲げ形成してなるものである。図６５に示されるように、金属部材１２０ｉには部分的に幅広の部位が形成されており、それらをハウジング２０ｉに圧入することでハウジング２０ｉに取り付け固定される。
【０１１３】
図６４及び図６６に示されるように、連結部材１１０ｉは、中央底部３４ｉに沿うようにして外周部２８ｉの長壁部３０ｉから金属プレート８０ｉまで延びている。これにより、金属プレート８０ｉのダボ８４ｉが連結部材１１０ｉに押し付けられて接触し、それによって、金属部材１２０ｉと金属プレート８０ｉとが電気的に接続されている。金属部材１２０ｉと金属プレート８０ｉとの接続位置は、上述した第１の実施の形態と同様に、島状部２２ｉの長手方向（Ｘ方向：第１方向）の両端から離れた位置である。従って、本実施の形態においても、島状部２２ｉの長手方向の両端を有効活用することができ、コネクタ１０ｉの大型化を避けつつ、電源コンタクト６０及び電源コンタクト７０を設けることができる。
【０１１４】
（第１０の実施の形態）
図６７乃至図７０を参照すると、本発明の第１０の実施の形態によるコネクタ１０ｊは、いわゆる落とし込みタイプのものであって、上述した第９の実施の形態によるコネクタ１０ｉの変形例であり、ほぼ同様の構成を備えている。従って、本実施の形態によるコネクタ１０ｊの構成要素のうち第９の実施の形態によるコネクタ１０ｉの構成要素と同様又は同一の構成要素については同様又は同一の参照符号を付して説明を省略又は簡略し、以下においては、主として差異について説明することとする。
【０１１５】
図６７、図６９及び図７０を参照すると、本実施の形態によるコネクタ１０ｊは、絶縁体からなるハウジング２０ｊと、導電体からなる複数の信号コンタクト５０と、電源コンタクト６０及び７０と、金属製のシェル９０ｊと、シェル９０ｊとは別個の部材である金属部材１２０ｊとを備えている。
【０１１６】
図６７及び図７０に示されるように、ハウジング２０ｊは、Ｘ方向（第１方向）に長手を有する島状部２２ｊと、ＸＹ平面内において島状部２２ｊを取り囲むように形成された凹部２６ｊと、ＸＹ平面内において凹部２６ｊを更に取り囲むように形成された外周部２８ｊとを有している。島状部２２ｊは、Ｚ方向（第２方向）に嵌合側端部２４ｊを有している。この島状部２２ｊには、嵌合側端部２４ｊから−Ｚ方向に向かって延びるスリット状の保持部２５ｊが形成されている。凹部２６ｊは、−Ｚ方向に向かって凹んでいる。外周部２８ｊは、Ｘ方向に沿って延びる２つの長壁部３０ｊと、Ｙ方向（第３方向）に沿って延びる２つの短壁部３２ｊとを有している。Ｙ方向において、長壁部３０ｊと島状部２２ｊとの間には凹部２６ｊが位置している。同様に、Ｘ方向において、短壁部３２ｊと島状部２２ｊとの間にも凹部２６ｊが位置している。
【０１１７】
図６８乃至図７０から理解されるように、ハウジング２０ｊの底部は、概略、中央底部３４ｊと、その中央底部３４ｊを取り囲むように位置している外周底部３６ｊとからなる。図７０から理解されるように、上述した島状部２２ｊ及び凹部２６ｊは、Ｚ方向に沿って見た場合に中央底部３４ｊに対応する領域内に位置している。
【０１１８】
図６７及び図６８に示されるように、信号コンタクト５０、電源コンタクト６０及び電源コンタクト７０は、ハウジング２０ｊに保持されている。信号コンタクト５０は、嵌合側端部２４ｊの裏側（底部側：−Ｚ側）からハウジング２０ｊに圧入され、接点部５２が凹部２６ｊ内に露出するようにハウジング２０ｊに保持されている。図６７に示されているように、電源コンタクト６０の接点部６２は、凹部２６ｊ内において島状部２２ｊのＸ方向端部を覆うように設けられている。図６７に示されるように、電源コンタクト７０は２つあり、夫々、短壁部３２ｊ上に跨るように設けられている。各電源コンタクト７０の接点部７２は、凹部２６ｊ内において電源コンタクト６０の接点部６２と対向するように設けられている。
【０１１９】
図６７及び図６９に示されるように、本実施の形態によるシェル９０ｊは、２つの部材からなり、夫々、外周部２８ｊの長壁部３０ｊを覆っている。本実施の形態によるシェル９０ｊには、スルーホール２１０（図３参照）に接続される固定部９２ｊは形成されているが、スルーホール２０８（図３参照）に接続される固定部は形成されていない。
【０１２０】
図６９及び図７０に示されるように、本実施の形態による金属部材１２０ｊは、シェル９０ｊとは別個に設けられた金属製の接続部材１００ｊと、金属プレート８０ｊと、金属製の連結部材１１０ｊとを一体化したものである。換言すると、金属部材１２０ｊは、一枚の金属母材板をプレスし、折り曲げ形成してなるものである。図６９に示されるように、金属プレート８０ｊには圧入部８２ｊが設けられている。金属プレート８０ｊは、嵌合側端部２４ｊの反対側から（底部側から）ハウジング２０ｊの島状部２２ｊに圧入され、保持されている。この状態において、金属プレート８０ｊは、−Ｚ方向に沿って（即ち、嵌合側端部２４ｊ側から）視認可能である。
【０１２１】
図６８及び図７０に示されるように、連結部材１１０ｊは、中央底部３４ｊに沿うように延びており、接続部材１００ｊは、スルーホール２０８の一つに対応する位置において外周部２８ｊの長壁部３０ｊに取り付けられている。このようにして、金属部材１２０ｊを構成する金属プレート８０ｊ、接続部材１００ｊ及び連結部材１１０ｊは、島状部２２ｊの保持部２５ｊ内から外周部２８ｊの長壁部３０ｊの外側まで延びる電気的経路を構成している。金属部材１２０ｊにおける連結部材１１０ｊ及び接続部材１００ｊのハウジング２０ｊに対する取付位置は、島状部２２ｊの長手方向（Ｘ方向：第１方向）の両端から離れた位置である。従って、本実施の形態においても、島状部２２ｊの長手方向の両端を有効活用することができ、コネクタ１０ｊの大型化を避けつつ、電源コンタクト６０及び電源コンタクト７０を設けることができる。
【０１２２】
上述した第１乃至第１０の実施の形態において、連結部材１１０ａ〜１１０ｊは、材料となる金属母材板の面を利用して他の部位と接触を図るものであったが、本発明はこれに限定されるものではなく、例えば、金属母材板をプレスした際に形成されるエッジ（縁）を利用して他の部位と接触を図るように構成されてもよい。例えば、図１６に示される第２の実施の形態による金属部材１２０ｂを図７１及び図７２に示される金属部材１２０ｂ′のように変形することとしてもよい。金属部材１２０ｂ′において連結部材１１０ｂ′は金属プレート８０ｂ′と直交する面内に延びている。また、連結部材１１０ｂ′には、ダボに代えてプレス時にエッジを利用して形成された凸部１１２ｂ′が形成されている。
【０１２３】
また、上述した第１乃至第１０の実施の形態によるハウジング２０ａ〜２０ｊの中央底部３４ａ〜３４ｊは、基板２００の下面２００ｌ側において露出されているが、金属プレート８０ａ〜８０ｊや信号コンタクト５０等が外部の導体と接触してしまうことを避けるため、中央底部３４ａ〜３４ｊを底蓋で覆うこととしてもよい。
【０１２４】
（第１１の実施の形態）
図７３乃至図８０を参照すると、本発明の第１１の実施の形態によるコネクタ１０ｋは、いわゆる落とし込みタイプのものであって、概略、上述した第１の実施の形態によるコネクタ１０ａの中央底部３４ａの殆どを底蓋１４０ｋで覆うように変形してなるものであり、底蓋１４０ｋ関連の構成を除き、第１の実施の形態によるコネクタ１０ａとほぼ同一の構成を備えている。従って、本実施の形態によるコネクタ１０ｋの構成要素のうち第１の実施の形態によるコネクタ１０ａの構成要素と同様又は同一の構成要素については同様又は同一の参照符号を付して説明を省略又は簡略し、以下においては、主として差異について説明することとする。
【０１２５】
図７３、図７４、図７７及び図７８を参照すると、本実施の形態によるコネクタ１０ｋは、絶縁体からなるハウジング２０ｋと、導電体からなる複数の信号コンタクト５０と、電源コンタクト６０及び７０と、ＥＳＤ対策用の金属プレート８０ｋと、金属製のシェル（接続部材）９０ｋと、金属製の連結部材１１０ｋと、絶縁体からなる底蓋１４０ｋとを備えている。
【０１２６】
図７３、図７７及び図８０に示されるように、ハウジング２０ｋは、Ｘ方向（第１方向）に長手を有する島状部２２ｋと、ＸＹ平面内において島状部２２ｋを取り囲むように形成された凹部２６ｋと、ＸＹ平面内において凹部２６ｋを更に取り囲むように形成された外周部２８ｋとを有している。島状部２２ｋは、Ｚ方向（第２方向）に嵌合側端部２４ｋを有している。この島状部２２ｋには、嵌合側端部２４ｋから−Ｚ方向に向かって延びるスリット状の保持部２５ｋが形成されている。凹部２６ｋは、−Ｚ方向に向かって凹んでいる。外周部２８ｋは、Ｘ方向に沿って延びる２つの長壁部３０ｋと、Ｙ方向（第３方向）に沿って延びる２つの短壁部３２ｋとを有している。Ｙ方向において、長壁部３０ｋと島状部２２ｋとの間には凹部２６ｋが位置している。同様に、Ｘ方向において、短壁部３２ｋと島状部２２ｋとの間にも凹部２６ｋが位置している。
【０１２７】
図７８及び図８０から理解されるように、ハウジング２０ｋの底部は、概略、中央底部３４ｋと、その中央底部３４ｋを取り囲むように位置している外周底部３６ｋとからなる。図８０から理解されるように、上述した島状部２２ｋ及び凹部２６ｋは、Ｚ方向に沿って見た場合に中央底部３４ｋに対応する領域内に位置している。
【０１２８】
図７８乃至図８０に示されるように、本実施の形態によるハウジング２０ｋの中央底部３４ｋには、＋Ｚ側に向かって凹んだ凹状の第１固定部３８ｋが形成されている。
【０１２９】
図７３及び図７８に示されるように、信号コンタクト５０、電源コンタクト６０及び電源コンタクト７０は、ハウジング２０ｋに保持されている。信号コンタクト５０は、嵌合側端部２４ｋの裏側（底部側：−Ｚ側）からハウジング２０ｋに圧入され、接点部５２が凹部２６ｋ内に露出するようにハウジング２０ｋに保持されている。図７３に示されているように、電源コンタクト６０の接点部６２は、凹部２６ｋ内において島状部２２ｋのＸ方向端部を覆うように設けられている。図７３に示されるように、電源コンタクト７０は２つあり、夫々、短壁部３２ｋ上に跨るように設けられている。各電源コンタクト７０の接点部７２は、凹部２６ｋ内において電源コンタクト６０の接点部６２と対向するように設けられている。
【０１３０】
図７７及び図７８に示されるように、本実施の形態による金属プレート８０ｋは、圧入部８２ｋを有している。この圧入部８２ｋは、第１の実施の形態による圧入部と比較して長い。この圧入部８２ｋの先端には、外部圧入部８６ｋが設けられている。図７３及び図７９に示されるように、金属プレート８０ｋは、嵌合側端部２４ｋ側からハウジング２０ｋの島状部２２ｋに圧入され、保持されている。この状態において、金属プレート８０ｋは、−Ｚ方向に沿って視認可能である。また、外部圧入部８６ｋは、ハウジング２０ｋの中央底部３４ｋから突出している。
【０１３１】
図７３、図７７及び図７８に示されるように、本実施の形態によるシェル（接続部材）９０ｋは、２つの部材からなり、夫々、外周部２８ｋの長壁部３０ｋを覆っている。シェル９０ｋは、スルーホール２１０（図３参照）に接続される固定部９２ｋと、スルーホール２０８（図３参照）に接続される固定部９４ｋとを有している。
【０１３２】
図７３、図７７及び図７８に示されるように、本実施の形態による連結部材１１０ｋは、嵌合側端部２４ｋ側（即ち、＋Ｚ側）からハウジング２０ｋに挿入され保持されている。図７３から明らかなように、連結部材１１０ｋは、電源コンタクト６０や電源コンタクト７０とは、かなり離れて位置している。図７７及び図７８に示されるように、連結部材１１０ｋは、ダボ１１２ｋを有している。
【０１３３】
図７３に示されるように、連結部材１１０ｋは、島状部２２ｋのＸ方向の両端から離れた位置において、金属プレート８０ｋとシェル（接続部材）９０ｋとをＹ方向において連結している。従って、本実施の形態においても、島状部２２ｋの長手方向の両端を有効活用することができ、コネクタ１０ｋの大型化を避けつつ、電源コンタクト６０及び電源コンタクト７０を設けることができる。
【０１３４】
図７７及び図７９に示されるように、本実施の形態による底蓋１４０ｋには、被圧入部１４２ｋと凸状の第２固定部１４４ｋとが形成されている。被圧入部１４２ｋは底蓋１４０ｋの−Ｚ側の面までは達していない。この被圧入部１４２ｋに金属プレート８０ｋの外部圧入部８６ｋが圧入され、それによって、底蓋１４０ｋは中央底部３４ｋの殆どを覆うようにしてハウジング２０ｋに取り付けられる。この際、第２固定部１４４ｋが第１固定部３８ｋに嵌め合わされており、この嵌め合わせによっても、底蓋１４０ｋが中央底部３４ｋに取り付けられている。
【０１３５】
このような底蓋１４０ｋを備えていると、ハウジング２０ｋの底部側において信号コンタクト５０等が外部の導体と接触等してしまうことを防止することができる。
【０１３６】
なお、上述した第１１の実施の形態においては、第１固定部３８ｋが凹状で第２固定部１４４ｋが凸状であったが、逆に、第１固定部３８ｋが凸状で第２固定部１４４ｋが凹状であってもよい。
【０１３７】
また、底蓋１４０ｋのハウジング２０ｋへの取り付けは、金属プレート８０ｋの外部圧入部８６ｋと底蓋１４０ｋの被圧入部１４２ｋのみによることとしてもよいし、ハウジング２０ｋの第１固定部３８ｋと底蓋１４０ｋの第２固定部１４４ｋのみによることとしてもよい。
【０１３８】
例えば、図８１に示される変形例においては、金属プレート８０ｌは、圧入部８２ｌと外部圧入部８６ｌとを有している。この金属プレート８０ｌは、圧入部８２ｌを用いてハウジング２０ｌの島状部２２ｌに圧入されており、更に、外部圧入部８６ｌを用いて底蓋１４０の被圧入部１４２ｌに圧入されている。ハウジング２０ｌには第１固定部が設けられておらず、底蓋１４０ｌには第２固定部が設けられていない。なお、図８１には、電源コンタクト７０がハウジング２０ｌの短壁部３２ｌに跨るように取り付けられた状態が示されている。
【０１３９】
一方、図８２に示される変形例においては、金属プレート８０ｍは、圧入部８２ｍを有しているが外部圧入部は有していない。即ち、金属プレート８０ｍは、圧入部８２ｍを用いてハウジング２０ｍの島状部２２ｍに圧入されているが、底蓋１４０ｍまでは達していない。その代わり、ハウジング２０ｍには凹状の第１固定部３８ｍが形成されており、底蓋１４０ｍには凸状の第２固定部１４４ｍが形成されている。これら第１固定部３８ｍと第２固定部１４４ｍを嵌め合わせることにより、底蓋１４０ｍはハウジング２０ｍに取り付けられている。
【０１４０】
以上、本発明について実施の形態を掲げて具体的に説明してきたが、本発明はこれらに限定されるものではない。例えば、上述した実施の形態において、コネクタ１０ａ〜１０ｋは、基板２００に形成された開口部２０２に部分的に受容されるタイプであったが、開口部に代えて、基板の端部に形成された凹部に部分的に受容されるタイプとしてもよいし、また、開口部２０２や凹部を有さない基板上に搭載固定される（即ち、落とし込みタイプではない）ものであってもよい。
【符号の説明】
【０１４１】
１０ａ〜１０ｋ        コネクタ
１２ａ〜１２ｋ        嵌合端
２０ａ〜２０ｍ        ハウジング
２２ａ〜２２ｍ        島状部
２４ａ〜２４ｋ        嵌合側端部
２５ａ〜２５ｋ        保持部
２６ａ〜２６ｋ        凹部
２８ａ〜２８ｋ        外周部
３０ａ〜３０ｋ        長壁部
３２ａ〜３２ｍ        短壁部
３４ａ〜３４ｋ        中央底部
３６ａ〜３６ｋ        外周底部
３８ｋ，３８ｍ        第１固定部
５０        信号コンタクト
５２        接点部
５４        ＳＭＴ端子
６０        電源コンタクト
６２        接点部
６４        接続部
７０        電源コンタクト
７２        接点部
７４        接続部
８０ａ〜８０ｍ，８０ｂ′        金属プレート
８２ａ〜８２ｍ        圧入部
８４ｆ，８４ｈ，８４ｉ        ダボ
８６ｋ，８６ｌ        外部圧入部
９０ａ〜９０ｃ，９０ｆ〜９０ｈ，９０ｋ        シェル（接続部材）
９０ｄ，９０ｅ，９０ｉ，９０ｊ        シェル
９２ａ〜９２ｋ        固定部
９４ａ〜９４ｋ        固定部
９６ｆ        ダボ
１００ｄ，１００ｅ，１００ｉ，１００ｊ        接続部材
１１０ａ〜１１０ｋ，１１０ｂ′        連結部材
１１２ａ〜１１２ｄ        ダボ
１１２ｂ′        凸部
１１２ｇ        接触部
１２０ｂ〜１２０ｅ，１２０ｇ〜１２０ｊ，１２０ｂ′        金属部材
１４０ｋ〜１４０ｍ        底蓋
１４２ｋ，１４２ｌ        被圧入部
１４４ｋ，１４４ｍ        第２固定部
２００        基板（対象物）
２００ｕ        上面
２００ｌ        下面
２０２        開口部
２０４，２０８，２１０，２１２        スルーホール
２０６        半田付け部
【図１】
0005971845.tif 000002
【図２】
0005971845.tif 000003
【図３】
0005971845.tif 000004
【図４】
0005971845.tif 000005
【図５】
0005971845.tif 000006
【図６】
0005971845.tif 000007
【図７】
0005971845.tif 000008
【図８】
0005971845.tif 000009
【図９】
0005971845.tif 000010
【図１０】
0005971845.tif 000011
【図１１】
0005971845.tif 000012
【図１２】
0005971845.tif 000013
【図１３】
0005971845.tif 000014
【図１４】
0005971845.tif 000015
【図１５】
0005971845.tif 000016
【図１６】
0005971845.tif 000017
【図１７】
0005971845.tif 000018
【図１８】
0005971845.tif 000019
【図１９】
0005971845.tif 000020
【図２０】
0005971845.tif 000021
【図２１】
0005971845.tif 000022
【図２２】
0005971845.tif 000023
【図２３】
0005971845.tif 000024
【図２４】
0005971845.tif 000025
【図２５】
0005971845.tif 000026
【図２６】
0005971845.tif 000027
【図２７】
0005971845.tif 000028
【図２８】
0005971845.tif 000029
【図２９】
0005971845.tif 000030
【図３０】
0005971845.tif 000031
【図３１】
0005971845.tif 000032
【図３２】
0005971845.tif 000033
【図３３】
0005971845.tif 000034
【図３４】
0005971845.tif 000035
【図３５】
0005971845.tif 000036
【図３６】
0005971845.tif 000037
【図３７】
0005971845.tif 000038
【図３８】
0005971845.tif 000039
【図３９】
0005971845.tif 000040
【図４０】
0005971845.tif 000041
【図４１】
0005971845.tif 000042
【図４２】
0005971845.tif 000043
【図４３】
0005971845.tif 000044
【図４４】
0005971845.tif 000045
【図４５】
0005971845.tif 000046
【図４６】
0005971845.tif 000047
【図４７】
0005971845.tif 000048
【図４８】
0005971845.tif 000049
【図４９】
0005971845.tif 000050
【図５０】
0005971845.tif 000051
【図５１】
0005971845.tif 000052
【図５２】
0005971845.tif 000053
【図５３】
0005971845.tif 000054
【図５４】
0005971845.tif 000055
【図５５】
0005971845.tif 000056
【図５６】
0005971845.tif 000057
【図５７】
0005971845.tif 000058
【図５８】
0005971845.tif 000059
【図５９】
0005971845.tif 000060
【図６０】
0005971845.tif 000061
【図６１】
0005971845.tif 000062
【図６２】
0005971845.tif 000063
【図６３】
0005971845.tif 000064
【図６４】
0005971845.tif 000065
【図６５】
0005971845.tif 000066
【図６６】
0005971845.tif 000067
【図６７】
0005971845.tif 000068
【図６８】
0005971845.tif 000069
【図６９】
0005971845.tif 000070
【図７０】
0005971845.tif 000071
【図７１】
0005971845.tif 000072
【図７２】
0005971845.tif 000073
【図７３】
0005971845.tif 000074
【図７４】
0005971845.tif 000075
【図７５】
0005971845.tif 000076
【図７６】
0005971845.tif 000077
【図７７】
0005971845.tif 000078
【図７８】
0005971845.tif 000079
【図７９】
0005971845.tif 000080
【図８０】
0005971845.tif 000081
【図８１】
0005971845.tif 000082
【図８２】
0005971845.tif 000083
【図８３】
0005971845.tif 000084
【図８４】
0005971845.tif 000085